(57)【要約】【課題】  ストラップに取り付ける携帯品の使用状態に合わせて、ネックストラップとすることもハンドストラップとすることも容易なストラップを提供することにある。【解決手段】  ストラップ１０は、ハンドストラップ２０とネックストラップ３０を組み合わせてなり、デジタルカメラ５０などの携帯品を取り付けて首に掛けるなどして使用される。【選択図】  図１
0003108502.tif 000002
【実用新案登録請求の範囲】
【請求項１】
手に掛けるハンドストラップと首に掛けるネックストラップを組み合わせたストラップであって、
ハンドストラップは、紐状のハンドストラップ本体からなり、
ネックストラップは、ネックストラップ本体に紐状のハンドストラップ本体を着脱自在に保持する保持部を備えたストラップ。
【請求項２】
ハンドストラップ本体を握持するように先細溝形に形成された保持部に、ハンドストラップ本体に形成された膨らみをもった膨出部が係合することで、ハンドストラップ本体をネックストラップ本体に固定する請求項１記載のストラップ。
【請求項３】
膨出部は、環状のハンドストラップ本体中央近傍に左右対称な位置に二箇所形成され、
保持部も、環状のネックストラップ本体下端部に左右対称な位置に二箇所形成された請求項２記載のストラップ。
【請求項４】
膨出部は、テーパー状に形成された請求項２又は３記載のストラップ。
【請求項５】
ハンドストラップおよび／またはネックストラップに携帯品を取り付けるための取付部を備えた請求項１から４のいずれかに記載のストラップ。
【考案の詳細な説明】
【技術分野】
【０００１】
本考案は、手に持つハンドストラップと首に掛けるネックストラップを組み合わせたストラップに関するものである。
【背景技術】
【０００２】
携帯電話やデジタルカメラなどを吊り下げるためのストラップには、これまで実に様々なものが製造・販売されている。
その中で、ストラップは大きく２種類のものに分けることができる。一つは、首に掛けて使用されるネックストラップで、もう一つは、手に掛けて使用されるハンドストラップである。
【０００３】
そして、この２種類のネックストラップとハンドストラップを１つのストラップで兼ね備えたものが特許文献１に開示されている吊り下げ具（ストラップ）である。このストラップは、１本のネックストラップ（２）に２箇所係止具（１，３）を備えることで、その一部をネックストラップ（２）から取り外して、ハンドストラップとして使用することができるものである。
【特許文献１】特開２００２−５１８２４号公報
【考案の開示】
【考案が解決しようとする課題】
【０００４】
しかし、特許文献１に開示された上記ストラップでは、ネックストラップからハンドストラップを取り出すことが面倒であり、ネックストラップを首に掛けたまま、ハンドストラップを取り外すことは難しい。
一方、ストラップに吊り下げることの多い携帯電話やデジタルカメラなどは、その使用時にハンドストラップを手に掛けて使用し、不使用時にはネックストラップに吊り下げたままにしていることが多い。
【０００５】
そこで、本考案は、ストラップに取り付ける携帯品の使用状態に合わせて、ネックストラップとすることもハンドストラップとすることも容易なストラップを提供することを目的とし、さらにそれにデザイン性を兼ね備えたストラップを提供すること目的する。
【課題を解決するための手段】
【０００６】
上記目的を達成するために、第一の考案は、手に掛けるハンドストラップと首に掛けるネックストラップを組み合わせたストラップであって、ハンドストラップは、紐状のハンドストラップ本体からなり、ネックストラップは、ネックストラップ本体に紐状のハンドストラップ本体を着脱自在に保持する保持部を備えたことを特徴とするものである。
第二の考案は、ハンドストラップ本体を握持するように先細溝形に形成された保持部に、ハンドストラップ本体に形成された膨らみをもった膨出部が係合することで、ハンドストラップ本体をネックストラップ本体に固定することを特徴とするものである。
第三の考案は、膨出部が、環状のハンドストラップ本体中央近傍に左右対称な位置に二箇所形成され、保持部も、環状のネックストラップ本体下端部に左右対称な位置に二箇所形成されることを特徴とするものである。
第四の考案は、膨出部が、テーパー状に形成されたことを特徴とするものである。
第五の考案は、ハンドストラップおよび／またはネックストラップに携帯品を取り付けるための取付部を備えたことを特徴とするものである。
【考案の効果】
【０００７】
本考案によれば、以下のような効果を有する。
（１）本考案のストラップは、ハンドストラップとネックストラップを組み合わせたものであって、そのハンドストラップは、紐状のハンドストラップ本体からなり、ネックストラップは、ネックストラップ本体に紐状のハンドストラップ本体を着脱自在に保持する保持部を備えることで、ネックストラップからハンドストラップの着脱が自在となり、ストラップに取り付ける携帯品の使用状態に合わせて、ネックストラップまたはハンドストラップのどちらかを使用することが容易になる。
（２）ハンドストラップ本体を握持するように先細溝形に形成された保持部に、ハンドストラップ本体に形成された膨らみをもった膨出部が係合することで、ハンドストラップ本体がネックストラップ本体に固定され、ハンドストラップとネックストラップの着脱および固定が確実になる。
（３）膨出部が、環状のハンドストラップ本体中央近傍に左右対称な位置に二箇所形成され、保持部も、環状のネックストラップ本体下端部に左右対称な位置に二箇所形成されることで、２本の環状のネックストラップとハンドストラップが重なり合ってストラップを構成するため、デザイン性に優れたストラップとなる。
（４）膨出部が、テーパー状に形成されたことで、溝形の保持部への係合がスムーズとなり、ハンドストラップとネックストラップの固定がより確実なものとなる。
【考案を実施するための最良の形態】
【０００８】
本考案の実施の形態を図面に基づいて説明する。
図１は、本考案のストラップの使用状態を示す説明図である。
ストラップ１０は、ハンドストラップ２０とネックストラップ３０を組み合わせてなり、デジタルカメラ５０などの携帯品を取り付けて首に掛けるなどして使用される。
【０００９】
図２は、ハンドストラップ２０とネックストラップ３０を詳細に示した正面図である。
図２−１に示すハンドストラップ２０は、紐状でかつ環状のハンドストラップ本体２１からなっている。そして、ハンドストラップ本体２１の中央近傍に左右対称な位置に、二箇所膨らみを持った膨出部２３，２３が形成されている。また、ハンドストラップ本体２１の下端部に、デジタルカメラ５０などの携帯品を取り付けるための輪状の取付部２６を備える。なお、ハンドストラップ本体２１の材質としては、シリコンまたはウレタンなどが好ましいが、これらに限られるものではない。
【００１０】
図２−２に示すネックストラップ３０は、同じく紐状でかつ環状のネックストラップ本体３１からなっている。そして、ネックストラップ本体３１の下端部に左右対称な位置に、二箇所ハンドストラップ本体２１を着脱自在に保持する保持部３３，３３を備えている。この保持部３３は、ハンドストラップ本体２１を差し込んで握持するように先細溝形に形成されている。また、ネックストラップ本体３１の下端部にも、携帯品を取り付けるための穿孔された取付部３６を備える。なお、ネックストラップ本体３１の材質も、シリコンまたはウレタンなどが好ましいが、これらに限られるものではない。
【００１１】
図３は、ネックストラップ本体３１へのハンドストラップ本体２１の着脱・固定方法について説明した説明図である。ネックストラップ本体３１に設けられた保持部３３は、縦長の切れ込み３４の入った溝形をしており、その切れ込み３４部分から紐状のハンドストラップ本体２１を差し込むことで握時するように装着される（Ａ）。そして、その差し込まれたハンドストラップ本体２１を下方にスライドさせて、膨出部２３が保持部３３に係合することで、固定される（Ｂ）。このように、ハンドストラップ２０とネックストラップ３０の装着固定が容易に行える。なお、この時、膨出部２３はテーパー状に形成されていると、保持部３３への係合がスムーズとなり、その固定がより確実なものとなる。
【００１２】
また、膨出部２３が保持部３３に係合されているハンドストラップ本体２１を上方にスライドさせることで、固定状態が解除される（Ｃ）。そして、そのハンドストラップ本体２１を保持部３３の切れ込み３４から抜き出すことで、ハンドストラップ本体２１をネックストラップ本体３１から抜脱される（Ｄ）。このように、ハンドストラップ２０とネックストラップ３０の抜脱が容易に行える。
【産業上の利用可能性】
【００１３】
本考案は、様々な携帯品を吊り下げるためのストラップとして、さらには、とくに携帯品を吊り下げていない場合でも、身に付けるアイテムとして使用できるものである。
【図面の簡単な説明】
【００１４】
【図１】本考案のストラップの使用状態を示す説明図。
【図２−１】ハンドストラップを詳細に示した正面図。
【図２−２】ネックストラップを詳細に示した正面図。
【図３】ネックストラップ本体へのハンドストラップ本体の着脱・固定方法について説明した説明図。
【符号の説明】
【００１５】
１０  ストラップ
２０  ハンドストラップ    ２１  ハンドストラップ本体    ２３  膨出部
２６  取付部
３０  ネックストラップ    ３１  ネックストラップ本体    ３３  保持部
３４  切れ込み            ３６  取付部        ５０  デジタルカメラ
【図１】
0003108502.tif 000003
【図２−１】
0003108502.tif 000004
【図２−２】
0003108502.tif 000005
【図３】
0003108502.tif 000006